(57)【要約】【課題】映像処理全体の作業能力を向上できるマルチディスプレイカードの表示装置及びその方法を提供する。【解決手段】本発明の表示装置には第一スロットの第一チップセット、第二スロットの第二チップセット、第一ディスプレイカード、第二ディスプレイカード、及び第一ディスプレイカードと第二ディスプレイカードの接続に用いられるコネクターが含まれる。ディスプレイの方法は、第一スロットに第一ディスプレイカードを挿入し，第二スロットに第二ディスプレイカードを挿入し，かつコネクターを第一ディスプレイカードと第二ディスプレイカードの間に接続し、ドライバーの制御により、第一チップセットと第二チップセットを並列処理させる方式をとり、それぞれ第一ディスプレイカードと第二ディスプレイカードを制御し、同時に映像処理の演算を行う。これにより本発明は、映像処理全体の作業能力を向上させることが可能となる。【選択図】図２
2006323754.tif 000002
【特許請求の範囲】
【請求項１】
第一ディスプレイカードを第一スロットに挿入し、当該第一スロットは第一チップセットにより制御されるステップと、
第二ディスプレイカードを第二スロットに挿入し、当該第二スロットは第二チップセットにより制御されるステップと、
第一ディスプレイカード及び第二ディスプレイカードを電気コネクターに接続するステップと、
当該第一チップセット及び当該第二チップセットにより、当該第一ディスプレイカード及び当該第二ディスプレイカードをそれぞれ制御して映像処理を行い、かつ当該第一ディスプレイカード及び当該第二ディスプレイカードが当該電気コネクターにより共同で演算処理を行って、ビデオ信号を出力するステップ、
これらのステップを備えたことを特徴とするマルチディスプレイカードの表示方法。
【請求項２】
当該第一スロット及び当該第二スロットが、ＰＣＩ−Ｅ（PCI-Express）のインターフェースであることを特徴とする、請求項１に記載されたマルチディスプレイカードの表示方法。
【請求項３】
当該ＰＣＩ−Ｅ（PCI-Express）のインターフェースの仕様が、ＰＣＩ−Ｅ×１６であることを特徴とする、請求項２に記載されたマルチディスプレイカードの表示方法。
【請求項４】
当該第一チップセットがノースブリッジであり、当該第二チップセットがサウスブリッジであることを特徴とする、請求項１に記載されたマルチディスプレイカードの表示方法。
【請求項５】
ビデオ信号が第一ディスプレイカードにより出力されることを特徴とする、請求項１に記載されたマルチディスプレイカードの表示方法。
【請求項６】
当該第一ディスプレイカード及び当該第二ディスプレイカードが当該電気コネクターにより当該ビデオ信号を出力するように共同で演算処理を行うステップには、ドライバーを利用して当該第一ディスプレイカードと当該第二ディスプレイカードの演算の負荷をバランスさせることを特徴とする、請求項１に記載されたマルチディスプレイカードの表示方法。
【請求項７】
少なくとも一個の第一スロットを提供する第一チップセットと、
少なくとも一個の第二スロットを提供する第二チップセットと、
当該第一スロットに挿入される第一ディスプレイカードと、
当該第二スロットに挿入される第二ディスプレイカードと、
当該第一ディスプレイカードと当該第二ディスプレイカードの間でデータ伝送を行うように、当該第一ディスプレイカードと当該第二ディスプレイカードとを接続する電気コネクターと、を備え、
当該第一チップセット及び当該第二チップセットがそれぞれ当該第一ディスプレイカード及び当該第二ディスプレイカードを制御して映像を処理してビデオ信号を出力し、当該ビデオ信号が、当該電気コネクターを介して共同で演算処理する当該第一ディスプレイカード及び当該第二ディスプレイカードにより出力されることを特徴とする、マルチディスプレイカードの表示装置。
【請求項８】
当該第一スロット及び当該第二スロットがＰＣＩ−Ｅ（PCI-Express）のインターフェースであることを特徴とする、請求項７に記載されたマルチディスプレイカードの表示装置。
【請求項９】
当該ＰＣＩ−Ｅ（PCI-Express）のインターフェースの仕様がＰＣＩ−Ｅ×１６であることを特徴とする、請求項８に記載されたマルチディスプレイカードの表示装置。
【請求項１０】
当該第一チップセットがノースブリッジであり、当該第二チップセットがサウスブリッジであることを特徴とする、請求項７に記載されたマルチディスプレイカードの表示装置。
【請求項１１】
ビデオ信号が第一ディスプレイカードにより出力されることを特徴とする、請求項７に記載されたマルチディスプレイカードの表示装置。
【発明の詳細な説明】
【技術分野】
【０００１】
本発明は、表示装置及びその表示方法に関するもので、特にマルチディスプレイカードを利用してなされる表示装置及びその表示方法に関するものである。
【背景技術】
【０００２】
３Ｄゲームの高画質動態映像技術の発展に伴い、相応するより速い映像処理を提供する必要性が高まり、これにより大量に処理されるデータの量に対処することが可能となる。
【０００３】
コンピューター・システムについて言うと、ディスプレイカードは映像処理の主要部分を担当し、映像処理速度を加速するためには、ディスプレイカード内のグラフィクチップの演算能力を高めるほか、複数枚のディスプレイカードを同時に利用することにより、映像処理を向上させることが可能となる。現在ある複数枚のディスプレイカードによる映像処理技術の中で、最も注目されているのは、NVIDIA社が出しているSLI（Scalable Link Interface；SLI）技術である。第1図に示されたマルチディスプレイカードのシステム構成図がそれであり、即ちSLIが採用されるシステムのことである。このSLI技術はメインボードの上に２枚のディスプレイカードを挿入し、かつメインボード上のノースブリッジチップセット７０が２組のPCI-E（PCI-Express）インターフェース仕様の第一スロット７１と第二スロット７２を提供し、第一スロット71と第二スロット７２に第一ディスプレイカード８１と第二ディスプレイカード８２がそれぞれ挿入され、第一ディスプレイカード８１・第二ディスプレイカード８２間がコネクター９０により接続され、第一ディスプレイカード８１と第二ディスプレイカード８２はコネクター９０を介して互いにデータを伝送する。
【０００４】
SLI技術を利用した第一ディスプレイカード８１と第二ディスプレイカード８２は、各々のグラフィクチップ（GPU）が通信規格によりサポートされるのが必須であり、さらに第一ディスプレイカード８１と第二ディスプレイカード８２は、高速デジタルインターフェースによるサポートを要し、これをもってコネクター９０により接続され、最後にドライバーが、動態負荷バランスや色彩の制御、および機能を合成してフレーム率を確保することに関連する制御を行い、ディスプレイカードの中で主要な一枚がビデオ信号を出力する。
【０００５】
以上のように、二枚のディスプレイカードが映像を並列に処理する運用技術によって、確実にディスプレイ能力を飛躍的にアップさせる効果をもたらすことが可能となる。
【０００６】
しかしながら、SLI技術を実際に適用する場合、必ずノースブリッジチップセット７０のうちの２組のPCI-E×16のスロットに２枚のディスプレイカードに挿入して使用する必要があり、現在は、SLI技術をサポートする別のチップセットがなく、ノースブリッジチップセット７０の運用負担を軽減させる必要があった。
【発明の開示】
【発明が解決しようとする課題】
【０００７】
本発明で解決しようとしている技術問題は、複数組のチップセットを利用してSLI技術の実現を図り、映像処理の作業能力をアップできるマルチディスプレイカードの表示装置及びその方法を提供することである。
【課題を解決するための手段】
【０００８】
本発明に係るマルチディスプレイカードの表示方法は、第一チップセットが制御する第一スロット上に第一ディスプレイカードを挿入するステップと、第二チップセットが制御する第二スロット上に第二ディスプレイカードを挿入するステップと、第一ディスプレイカードと第二ディスプレイカードをコネクターで接続し、第一ディスプレイカードと第二ディスプレイカードとが互いにデータの伝送をできるようにするステップと、第一チップセットと第二チップセットがそれぞれ第一ディスプレイカードと第二ディスプレイカードを制御して映像処理を行い、第一ディスプレイカードと第二ディスプレイカードが共同で演算処理して得られた信号出力であるビデオ信号を出力するステップとを含む。
【０００９】
また、本発明に係るマルチディスプレイカードの表示装置は、少なくとも１個の第一スロットを提供する第一チップセットと、少なく一個の第二スロットを提供する第二チップセットと、第一スロットに挿入された第一ディスプレイカードと、第二スロットに挿入された第二ディスプレイカードと、第一ディスプレイカードと第二ディスプレイカードの間に接続されたコネクターとを備え、このコネクターは第一ディスプレイカードと第二ディスプレイカードの間でデータ伝送を可能にし、これにより第一チップセットと第二チップセットはそれぞれ第一ディスプレイカードと第二ディスプレイカードを制御して映像処理を行うことでビデオ信号を出力し、そして、そのビデオ信号は第一ディスプレイカードと第二ディスプレイカードがコネクターを通じて共同処理して出力される。
【発明の効果】
【００１０】
本発明のマルチディスプレイカードの表示装置及びその方法は、第一チップセットと第二チップセットがそれぞれ同時に第一ディスプレイカードと第二ディスプレイカードを制御し映像処理することを通じて、映像処理全体の作業能力の向上を可能にした。
【発明を実施するための最良の形態】
【００１１】
本発明の目的を達するために採用した技術や手段・効果をより一層理解するために、以下、本発明に関する詳細説明を添付図面を参照しながら詳細に説明する。以下の説明により、本発明の目的や特徴、特殊性について、より深く具体的な理解を得られるであろう。なお、添付図面は参考用と説明用のみに提供するのであり、本発明に対して制限を加えるために用いられるものではない。
【００１２】
図２は、本発明における好ましい実施形態のシステム構成図である。本実施形態のSLI（Scalable Link Interface）技術をサポートする表示装置は、第一チップセット１０、第二チップセット２０、第一ディスプレイカード３１、第二ディスプレイカード４１、コネクター５０を含む。
【００１３】
その中で第一チップセット１０と第二チップセット２０はそれぞれ第一スロット１１と第二スロット２１をサポートし、第一チップセット１０はノースブリッジチップセットとなり得、第二チップセット２０はサウスブリッジチップセットとなり得、本実施例で使用される第一スロット１１と第二スロット２１はそれぞれPCI-E×16規格に基づくスロットである。なお、通常のマザーボードにおける制御処理は、ノースブリッジのロジックチップセット（チップセット）及びサウスブリッジのチップセットとに分けられ、ＣＰＵに最も近寄るチップセットがノースブリッジと称され、他方がサウスブリッジと称される。
【００１４】
第一ディスプレイカード３１を第一スロット１１に挿入し、第二ディスプレイカード４１を第二スロット２１に挿入し，コネクター５０で第一ディスプレイカード３１・第二ディスプレイカード４１間を接続する。これにより、第一ディスプレイカード３１と第二ディスプレイカード４１はこのコネクター５０を介して相互にデータを伝送することが可能となる。
【００１５】
本実施例で使用される第一ディスプレイカード３１と第二ディスプレイカード４１はそれぞれ、SLI操作機能でサポートされ、第一ディスプレイカード３１と第二ディスプレイカード４１上のグラフィクチップ（GPU）（図示せず）は通信規格でサポートされ、かつ第一ディスプレイカード３１と第二ディスプレイカード４１も高速デジタルインターフェース（図示せず）でサポートされ、これによりコネクター５０が高速デジタルインターフェースに接続されてデータ伝送が可能となる。
【００１６】
ゆえに、第２図で示されたシステムを経由して、本実施形態でディスプレイを実行する場合、ドライバーによる制御を組み合わせて、並列処理方式により、第一チップセット１０と第二チップセット２０にそれぞれ、第一ディスプレイカード３１と第二ディスプレイカード４１の同時映像処理の演算を制御させ、かつコネクター５０による第一ディスプレイカード３１・第二ディスプレイカード４１間のデータ伝送を利用して、第一ディスプレイカード３１と第二ディスプレイカード４１の間の動態負荷バランスと色彩を制御すること、および機能を合成してフレーム率を確保する関連映像処理が可能となる。
【００１７】
そして、本実施例の中で、映像処理により出力されるビデオ信号は、メインカードとしての第一ディスプレイカード３１が出力を担当し、第二ディスプレイカード４１がサブカードの役割を担い、第一ディスプレイカード３１のデータ処理量の割り当てを補佐する。
【００１８】
上述のとおり、本実施例では既存のSLI技術で採用されているものと異なる構成を取り上げており、本実施例では２組のチップセットにそれぞれ、PCI-E×16スロットが供せられ、対応する二つのディスプレイカードを挿入し、ダブルチップセットがそれぞれ処理をすることにより、映像処理全体の作業性能を向上させることが可能となる。
【００１９】
従って、本発明は上述のように明らかにした技術により、既知のものとは全く異なる設計を取り上げ、全体的な使用価値を高めることができる。
【００２０】
これまでに取り上げた図式と説明は、本発明の実施例に過ぎず、この分野を熟知する技術者はもちろん、前記の説明に基づいて様々な変更を行っても構わないが、それらの変更は本発明の発明精神に帰属し、以下に限定される請求の範囲の中に帰属するものである。
【図面の簡単な説明】
【００２１】
【図１】既知のマルチディスプレイカードの系統構成図である。
【図２】本発明の好ましい実施形態の系統構成図である。
【符号の説明】
【００２２】
１０  第一チップセット
１１  第一スロット
２０  第二チップセット
２１  第二スロット
３１  第一ディスプレイカード
４１  第二ディスプレイカード
５０  コネクター
７０  ノースブリッジチップセット
７１  第一スロット
７２  第二スロット
８１  第一ディスプレイカード
８２  第二ディスプレイカード
９０  コネクター
【図１】
2006323754.tif 000003
【図２】
2006323754.tif 000004